(57)【要約】【課題】  情報端末で出版物上の２次元バーコード又はＩＣタグからなる識別子を読取り、配信サーバにアクセスし、朗読コンテンツを入手する配信システムにおいて、朗読コンテンツだけでなく、出版物上の記事や画像、更に、声優や協賛企業に関する複数のコンテンツを、少ない識別子を用いて視聴できるようにする。又、目の不自由な人でもコンテンツの選択を可能とする。【解決手段】  朗読コンテンツの個々の朗読データを特定し、朗読コンテンツの再生時に更新される朗読データアドレスに、出版物上の記事や画像、声優や協賛企業に関するコンテンツのデータを連携させる。朗読コンテンツの様々な再生位置で連携コンテンツ用の識別子を読込むことで、様々な連携コンテンツを視聴できる。個々のコンテンツ用の識別子の周辺を異なる形状の段違い部とすることで、目の不自由な人でも選択可能となる。【選択図】  図１
2007264873.tif 000002
【特許請求の範囲】
【請求項１】
識別子付き出版物と、この出版物の朗読音声データを含む朗読コンテンツとこの出版物に連携させた連携データを含む連携コンテンツを配信する配信サーバと、この配信サーバとネットワーク網で繋がり配信された前記朗読コンテンツ又は前記連携コンテンツを再生する情報端末とからなる朗読コンテンツ配信システムにおいて、
前記出版物は、
出版物の所定の位置に前記朗読コンテンツを特定する識別情報を有する２次元バーコード又はＩＣタグからなる第１の識別子と、前記連携コンテンツを特定する識別情報を有する２次元バーコード又はＩＣタグからなる第２の識別子が配置され、
前記配信サーバは、
前記朗読コンテンツ内の各朗読データの特定と前記連携コンテンツ内の前記連携データの特定を行う朗読データアドレスと前記朗読コンテンツと前記連携コンテンツとを記憶する記憶手段と、
前記識別情報と前記朗読データアドレスを受信し前記識別情報と前記朗読データアドレスに対応した朗読コンテンツ又は連携コンテンツを配信する配信手段とを有し、
前記情報端末は、
前記第１、第２の識別子から識別情報を読取る読取り手段と、
前記識別情報と前記朗読データアドレスを前記配信サーバへ送信し前記配信サーバから朗読コンテンツ又は連携コンテンツを受信するアクセス手段と、
前記朗読データアドレスに対応する前記朗読コンテンツの再生と前記朗読データアドレスの更新を行う朗読コンテンツ再生手段と、
前記朗読データアドレスに対応する前記連携コンテンツの再生を行う連携コンテンツ再生手段とを有する
ことを特徴とする朗読コンテンツ配信システム。
【請求項２】
前記情報端末は、
前記出版物のページ番号を入力し入力したページ番号に対応する朗読データアドレスを算出、
又は、前記出版物のページの撮影を行い撮影したページ画像に対応する朗読データアドレスを算出、
又は前記情報端末の操作を受付け操作に応じて朗読データアドレスをインクリメント又はデクリメントする朗読データアドレス入力手段を有する
ことを特徴とする特許請求項１記載の朗読コンテンツ配信システム。
【請求項３】
識別子付き出版物と、この出版物の朗読音声データを含む朗読コンテンツとこの出版物の翻訳文の朗読音声データを含む翻訳朗読コンテンツを配信する配信サーバと、この配信サーバとネットワーク網で繋がり配信された前記朗読コンテンツ又は翻訳朗読コンテンツを再生する情報端末とからなる朗読コンテンツ配信システムにおいて、
前記出版物は、
出版物の所定の位置に前記朗読コンテンツを特定する識別情報を有する２次元バーコード又はＩＣタグからなる第１の識別子と、前記翻訳朗読コンテンツを特定する識別情報を有する２次元バーコード又はＩＣタグからなる第２の識別子が配置され、
前記配信サーバは、
前記朗読コンテンツ内の各朗読データの特定と前記翻訳朗読コンテンツ内の前記翻訳朗読データの特定を行う朗読データアドレスと前記朗読コンテンツと前記翻訳朗読コンテンツとを記憶する記憶手段と、
前記識別情報と前記朗読データアドレスを受信し前記識別情報と前記朗読データアドレスに対応した朗読コンテンツ又は翻訳朗読コンテンツを配信する配信手段とを有し、
前記情報端末は、
前記第１、第２の識別子から識別情報を読取る読取り手段と、
前記識別情報と前記朗読データアドレスを前記配信サーバへ送信し前記配信サーバから朗読コンテンツ又は翻訳朗読コンテンツを受信するアクセス手段と、
前記朗読データアドレスに対応する前記朗読コンテンツ又は前記翻訳朗読コンテンツの再生と前記朗読データアドレスの更新を行う朗読コンテンツ再生手段とを有する
ことを特徴とする朗読コンテンツ配信システム。
【請求項４】
第１、第２の識別子は出版物自体又は出版物に一体化されたブックカバー又はブック帯の少なくとも１つの面に配置され、
第１の識別子は周辺を凸状又は凹状の段違い部で囲まれ、第２の識別子は第１の識別子とは異なる形状の凸状又は凹状の段違い部で囲まれ、
第１又は第２の識別子の周辺の段違い部の少なくとも１つは回転非対称な形状である
ことを特徴とする特許請求項１、２、３記載の朗読コンテンツ配信システム。
【請求項５】
前記情報端末は出版物を撮影する撮影手段を有し、前記アクセス手段は前記撮影手段が撮影したページ画像を配信サーバに送信し、
前記配信サーバは前記識別情報と前記ページ画像の整合性を判断する判断手段と、この判断手段の判断結果に応じて前記配信手段による前記朗読コンテンツの配信を禁止する禁止手段とを有する特許請求項１、２、３、４記載の朗読コンテンツ配信システム。
【発明の詳細な説明】
【技術分野】
【０００１】
本発明は、朗読コンテンツの配信システムに関する。
【背景技術】
【０００２】
特開平１０−１６１６９１号公報において、絵本を受台に置くと、絵本の裏表紙に取付けられた凸状部材に記録されたバーコードが読取センサにより読み取られ、スピーカにより音声で再生を行うことが示されている。子供が絵本を読んで欲しいけれども、大人に読む時間がない時でも、容易な操作で、本の内容を聞くことができる。
【０００３】
特開平０７−２１４９３９号公報において、書籍や書類の各頁の所定の箇所に数字やバーコードのようなコード情報を付記し、これをキーボードやバーコードリーダで読み取り、これに対応する記述内容の朗読や解説を音声で聞くことが出来るようにした視・聴覚両用型書籍が提案されている。書籍や書類、教材等を音声で容易に理解出来る上、ガイドブック等をゆれる車内等で読まずに音声で理解出来るという効果があり、視力の衰えた高齢者の方やまた盲人の方に有効であることが示されている。
【０００４】
特開２０００−０８１８３５号公報において、商品の番号、名称、単価、仕様等の商品データをデータ化した情報記録シンボルが表示された印刷物において、情報記録シンボルの印刷領域を凹状または凸状とすることが示されている。目の不自由な人であっても、データシンボルの印刷された位置を直接確認して読み取りできるようにする。
【０００５】
バーコードには１次元バーコードと２次元バーコードがあり、２次元バーコードには、ＱＲコードやＭａｘｉ  Ｃｏｄｅや、ＤＡＴＡ  ＭＡＴＲＩＸ等の複数の方式があるが、ＱＲコードでは、どの方法からでも読み取ることが可能という特徴もある。２次元バーコードは面積あたりの情報量が１次元バーコードに比べて大きいので、その分小さくすることができ、文庫本の背表紙のような狭い所にも印刷可能である。
【０００６】
特開２００２−２３０００２号公報では、識別子を光学的に読み取り可能に表示するバーコードのあるタグだけでなく、商品の識別子を無線で送信する通信タグも用いることが示されている。
【０００７】
以上、バーコードを書籍や印刷物に配置し書籍の朗読を行うシステムや、バーコードやＩＣタグを印刷物中の商品画像や記事の近傍に配置し、商品や記事の朗読や記事の解説を音声で伝えるシステムが提案されている。
【０００８】
特開平１０−１６１６９１号公報において、絵本を受台に置いて、絵本の裏表紙に記録されたバーコードが読取センサにより読み取られ、スピーカにより音声の再生を行うことが示されている。しかし、朗読を聞くための専用のシステムであり、挿絵や記事に関する解説を聞くことはできないという欠点がある。又、朗読は書籍自体の朗読であり、外国語で書かれている海外の書籍は外国語で朗読されるだけであり、外国語の書籍の理解しやすい朗読を聞くことはできないという欠点がある。
【０００９】
特開平０７−２１４９３９号公報では、書籍や書類の各頁の所定の箇所に数字やバーコードのようなコード情報を付記することで、これに対応する記述内容の朗読や解説を音声で聞くことが出来るが、書籍や書類の各ページはコード情報だらけになるという欠点がある。書籍の各ページに印刷するので、書籍の制作時点でコード位置とコード情報を決めておかなければならないという欠点もある。
【００１０】
特開２０００−０８１８３５号公報のように、前記情報記録シンボルの印刷領域を凹状または凸状とすることで、目の不自由な人であっても、データシンボルの印刷された位置を直接確認して読み取りできるが、印刷物は凹状または凸状のコード情報が多数配置されることになる。データシンボルにより商品情報を入手することを目的とした商品カタログでは凸凹が多数あっても許容されるが、出版物の記事自体を伝えることが目的の書籍等では、各ページに凸凹が配置され非常にかさばった書籍になってしまうという欠点がある。又、伝える情報は商品情報の１種類のみであり、コード情報の周辺の凹状または凸状の形状でコンテンツの種類を知らせるような機能はないという欠点がある。
【特許文献１】特開平１０−１６１６９１号公報
【特許文献２】特開平０７−２１４９３９号公報
【特許文献３】特開２０００−０８１８３５号公報
【特許文献４】特開２００２−２３０００２号公報
【発明の開示】
【発明が解決しようとする課題】
【００１１】
本発明は以上のような従来の欠点に鑑み、情報端末で出版物上の２次元バーコード又はＩＣタグからなる識別子を読取り、配信サーバにアクセスし、朗読コンテンツを入手する配信システムにおいて、朗読コンテンツだけでなく、出版物上の記事や画像、更に、声優や協賛企業に関する複数のコンテンツを、少ない識別子を用いて視聴できるようにすることを目的とする。
【００１２】
少ない識別子で、任意のページの朗読コンテンツ又は連携コンテンツを視聴できるようにすることも目的とする。
【００１３】
出版物の自体の朗読コンテンツと出版物を翻訳した文書の朗読コンテンツを自由に切替えて視聴できるようにすることも目的とする。
【００１４】
出版物の朗読コンテンツや連携コンテンツの種類を、目の不自由な人でも、容易に区別できるようにすることも目的とする。
【００１５】
更に、朗読コンテンツの配信サービスの開始前に製造した出版物でも、サービスを提供できるようにすることも目的とする。
【００１６】
又、出版物の所有者が目の不自由な人であっても、出版物本体の所有を確実に確認できる方法を提供することも目的とする。
【課題を解決するための手段】
【００１７】
図１に朗読コンテンツ配信システムの概略図を示す。朗読コンテンツ配信システム全体は、識別子付き出版物１０１と、この出版物１０１の朗読音声を含む朗読コンテンツ１１６と連携コンテンツ１１３を配信する配信サーバ１２３と、この配信サーバ１２３とネットワーク網１２２で繋がり配信された朗読コンテンツ１１６と連携コンテンツ１１３を再生する情報端末１１７からなる。
【００１８】
出版物１０１は複数のページからなる書籍１０２や、１枚のページからなるパンフレット等の印刷物である。出版物１０１に直接又は出版物に巻かれたブックカバー１０３の所定の位置に、出版物の朗読コンテンツを特定する識別子１０５と、出版物の翻訳文章を朗読した翻訳朗読コンテンツを特定する識別子１３２と、出版物に連携させた連携コンテンツを特定する識別子１０７が配置される。識別子１０５、１３２、１０７は２次元バーコード又はＩＣタグからなる。識別子１０５、１３２、１０７の周辺には凸状又は凹状の段違い部１０４、１３１、１０６を設ける。連携コンテンツは朗読コンテンツに関連した記事や、出版物の作者や出版社、更に、朗読をおこなった声優や、朗読コンテンツの制作資金の提供者等、出版物や朗読コンテンツの作成に関わった人や組織に関する情報からなるコンテンツである。ここでは、朗読をおこなった声優と制作資金を提供した協賛企業に関するコンテンツを連携コンテンツとして提供している。１０９のように声優の画像等を印刷し、声優の宣伝をしてもよい。協賛企業名を印刷した協賛企業の宣伝を行なってもよい。
【００１９】
配信サーバ１２３は、朗読コンテンツ１１６と連携コンテンツ１１３を記憶する記憶手段１２５と、配信手段１２４を有する。朗読コンテンツ１１６は朗読データ１１５とそれに対応付けられた朗読データアドレス１１０からなる。連携コンテンツ１１３は連携データ１１４と連携データの対応する朗読データアドレス１１０とからなる。配信手段１２４は、情報端末１１７から朗読データアドレス１１０と識別情報１２１を受信し朗読コンテンツ１１６又は連携コンテンツ１１３を配信する。  
【００２０】
情報端末１１７は、識別子１０５、１３２、１０７から識別情報１２１を読取る読取り手段１２０と、識別情報１２１と朗読データアドレス１１０を配信サーバ１２３へ送信し配信サーバ１２３から朗読コンテンツ１１６又は連携コンテンツ１１３を受信するアクセス手段１１８と、朗読データアドレス１１０に対応する朗読コンテンツ１１６の再生と朗読データアドレス１１０の更新を行う朗読コンテンツ再生手段１１１と、朗読データアドレス１１０に対応する連携コンテンツ１１３の再生を行う連携コンテンツ再生手段１１２を有する。更に、出版物１０１のページ番号又はページの画像を入力しページ番号又はページの画像に対応する朗読データアドレス１１０を算出、又は、情報端末１１７の操作に応じて朗読データアドレスをインクリメント又デクリメントする朗読データアドレス入力手段１３０を有する。朗読データアドレス１１０の更新は朗読コンテンツ再生手段１１１内の朗読データアドレス更新手段１２９で行なわれる。
【００２１】
朗読コンテンツ１１６内の朗読データ１１５は、出版物１０１を声優１２７が朗読した朗読音声をデータ化したデータであり、朗読コンテンツ制作オフィス１２６で制作される。連携コンテンツ１１３内の連携データ１１４は、連携コンテンツ制作オフィス１２８で制作される。
【００２２】
出版物１０１の所有者１０９は情報端末１１７の読取り手段１２０で、識別子１０５、１３２、１０７から識別情報１２１を読取り、アクセス手段１１８で識別情報１２１と朗読データアドレス１１０を配信サーバ１２３に送信する。配信サーバ１２３の配信手段１２４は受信した識別情報１２１と朗読データアドレス１１０に対応した朗読コンテンツ１１６又は連携コンテンツ１１３を記憶手段１２５中から選択して情報端末１１７に配信する。情報端末１１７のアクセス手段１１８で朗読コンテンツ１１６又は連携コンテンツ１１３を受信し、朗読コンテンツ再生手段１１１又は連携コンテンツ再生手段１１２で再生し、所有者１０９が視聴する。
【００２３】
朗読コンテンツ１１６が朗読コンテンツ再生手段１１１で再生される時には、朗読データアドレス更新手段１２９で朗読データアドレス１１０は更新されるが、連携コンテンツ１１３が連携コンテンツ再生手段１１２で再生される時には、朗読データアドレス１１０は変化しない。連携コンテンツ１１３を構成する個々の連携データ１１４は、朗読コンテンツ１１３の朗読箇所の文章やページ、更にシーンや季節、時代に対応付けて、コンテンツ制作オフィスで制作しておく。朗読コンテンツ１１６の再生に連携して再生可能な連携コンテンツが切り替わるので、少ない連携コンテンツ用識別子１０７で多くの連携コンテンツを提供可能となる。
【００２４】
朗読データアドレス１１０は、朗読コンテンツ再生手段１１１で更新されるだけでなく、朗読データアドレス入力手段１３０で入力又はインクリメント、デクリメントすることができる。その際、朗読コンテンツ再生手段１１１で再生する朗読コンテンツと連携コンテンツ再生手段１１２で再生する連携コンテンツの両方が朗読データアドレス１１０に応じて変わる。
【００２５】
朗読コンテンツ１１６は出版物１０１自体の朗読コンテンツだけでなく、出版物１０１を他言語に翻訳した文章の朗読コンテンツ（以下、翻訳朗読コンテンツ）も提供できる。出版物１０１自体の朗読コンテンツも翻訳朗読コンテンツも朗読コンテンツ再生手段１１１で再生される。どちらかの朗読コンテンツを再生すると、再生に応じて、朗読データアドレス１１０も更新される。再生していな方の朗読コンテンツ用の識別子を読込むと再生する朗読コンテンツが切り替わる。外国語と自国語を簡単に切替えられる。出版物に翻訳朗読コンテンツ用の識別子が配置されているので、出版物を見ただけで、翻訳朗読コンテンツに対応していることが分る。
【００２６】
識別子１０５、１３２、１０７は出版物１０１自体又は出版物１０１に一体化されたブックカバー又はブック帯１０３の少なくとも１つの面に配置される。更に、識別子毎に異なる形状の凸状又は凹状の段違い部で囲まれる。更に、識別子の周辺の段違い部は回転非対称な形状である。識別子の周辺が凸状又は凹状の段違い部で囲まれているので、目の不自由な人でも識別子の位置を見付けることができる。識別子の周辺の段違い部が回転非対称な形状なので、目の不自由な人でも段違い部の向きを知ることで出版物自体の向きも知ることができ、出版物を自然な向きで扱うことができる。更に、識別子毎に周辺の段違い部の形状が異なるので、目の不自由な人でも、段違い部を触ることで提供されるコンテンツの種類を知ることができる。
【００２７】
２次元バーコードは１次元バーコードに比べて面積を小さくすることが可能であり、段違い部の面積を小さくできる。ＱＲコードのように情報量に応じて複数のタイプのある２次元バーコードもあり、情報量を減らすことで小型のタイプを選ぶことができる。ＩＣタグの場合でも、０．４ｍｍ角程度の小型のＩＣタグもあり、段違い部に実装するのも容易である。面積の小さな２次元バーコードやＩＣタグを用いることで、段違い部を小型化できる。
【００２８】
パンフレットやポスターのような１枚でできている出版物や、雑誌や新聞紙等の一般的にカバーを用いない出版物の場合は、出版物自体に段違い部を設ける。出版物が一般的な書籍の場合には、ブックカバー又はブック帯１０３に段違い部１０４、１３１、１０６を設けることができる。製本済の出版物も、ブックカバー又はブック帯に段違い部と識別子を設けることで、朗読配信サービスを容易に追加できる。ブックカバー又はブック帯の背表紙や側面、折返し面のどの面でもよく、側面の場合は凹状の段違い部にすることで、他の本との引っかかりを防ぐこともできる。
【００２９】
所有者の確認を確実に行う場合は、情報端末１１７に出版物１０１を撮影する撮影手段を追加し、配信サーバ１２３に、情報端末１１７から受信した識別情報１２１とページ画像の整合性を判断する判断手段と、判断手段が不整合と判断した時にコンテンツの送信を禁止する禁止手段を追加する。撮影手段が撮影したページ画像をアクセス手段１１８が配信サーバ１２３に送信し、配信サーバ１２３の判断手段がページ画像の整合性を判断し、判断手段が不整合と判断した時に禁止手段がコンテンツの送信を禁止するようになり、結局、ページ画像に整合性があるときだけ配信されるようになる。情報端末１１７でページ画像を撮影するので、所有者はページを見る必要はなく、目の不自由な人でも可能である。
【００３０】
情報端末１１７は、携帯電話１１９が適しているが、パソコンやＰＤＡ、カーナビ等でもよく、携帯電話に限定されるものではない。読取り手段１２０は、２次元バーコードの読取りを行なう撮影手段と、ＩＣタグの読取りを行なう無線通信手段を含むことになるが、両方を持っていなくても、片方の読込みができる情報端末であればよい。２次元バーコードの読取りを行なう撮影手段は、所有者確認の為のページ画像を撮影する撮影手段と兼用してもよい。
【発明の効果】
【００３１】
以上の説明から明らかなように、本発明にあたっては次に列挙する効果が得られる。
【００３２】
（１）朗読データアドレスに対応する前記朗読コンテンツの再生と朗読データアドレスの更新を行う朗読コンテンツ再生手段と、朗読データアドレスに対応する連携コンテンツの再生のみを行う連携コンテンツ再生手段とを持つので、朗読コンテンツの任意の再生位置の連携コンテンツを連携させることができる。連携コンテンツ用識別子の数を増やすことなく、出版物の文章やページ、更にシーン、使用されるファッション、季節、時代に連携させることで、朗読コンテンツに連携する連携コンテンツの数を増やすことができる。従って、少ない識別子で、多くの連携コンテンツを提供できる。
【００３３】
（２）出版物のページ番号を入力し入力したページ番号に対応する朗読データアドレスを算出、又は、前記出版物のページの撮影を行い撮影したページ画像に対応する朗読データアドレスを算出、又は前記情報端末の操作を受付け操作に応じて朗読データアドレスをインクリメント又はデクリメントする朗読データアドレス入力手段を持つので、朗読コンテンツ又は連携コンテンツをページ毎に指定、又は変更することができ、個々のページには識別子は不要である。従って、少ない識別子で、任意のページの朗読コンテンツ又は連携コンテンツを視聴できる。
【００３４】
（３）出版物の所定の位置に朗読コンテンツを特定する識別情報を有する第１の識別子と、翻訳朗読コンテンツを特定する識別情報を有する第２の識別子が配置する。情報端末は、朗読データアドレスに対応する朗読コンテンツ又は翻訳朗読コンテンツの再生と前記朗読データアドレスの更新を行う朗読コンテンツ再生手段とを持つ。朗読コンテンツと翻訳朗読コンテンツの再生は、共通の朗読データアドレスにもとづいて行なわれ、再生に応じて、朗読データアドレスの更新も行なうので、内容の順序が入れ替わることなく朗読コンテンツと翻訳朗読コンテンツを切替えできる。したがって、出版物の自体の朗読コンテンツと出版物を翻訳した文書の朗読コンテンツを自由に切替えて視聴できる。
【００３５】
（４）識別子の周辺の段違い部の少なくとも１つは回転非対称な形状なので、目の不自由な人でも、段違い部の方向が分かることで出版物の方向も分る。朗読コンテンツ用の識別子と連携コンテンツ用の識別子の周辺は異なる形状の凸状又は凹状の段違い部で囲まれているので、視聴したコンテンツ用の識別子を探すのも容易である。従って、目の不自由な人でも、出版物を自然な向きで扱うことができ、コンテンツの視聴も容易である。
【００３６】
（５）識別子は出版物に一体化されたブックカバー又はブック帯の少なくとも１つの面に配置してもよい。したがって、製本済の出版物にも後から朗読サービスを追加できる。
【００３７】
（６）情報端末は出版物を撮影する撮影手段を有し、前記アクセス手段は前記撮影手段が撮影したページ画像を配信サーバに送信し、配信サーバは識別情報と前記ページ画像の整合性を判断する判断手段と、この判断手段の判断結果に応じて前記配信手段による前記朗読コンテンツの配信を禁止する禁止手段を有するので、出版物を目で見ることなく所有者の確認ができる。したがって、出版物の所有者が目の不自由な人でも所有者の確認ができる。
【発明を実施するための最良の形態】
【００３８】
以下、図２以下に示す発明を実施するための最良の形態により、本発明を詳細に説明する。
【実施例１】
【００３９】
図２は出版物を書籍とした時の第１の実施例である。ａ）は表紙を開いた書籍であり、ｂ）は背面から見た書籍であり、ｃ）は側面から見た書籍である。書籍２０１にはブック帯が巻付けられている。書籍の題名等の書籍本体の印刷は省略している。
【００４０】
ａ）において、ブック帯の折返し部２０７が見えており、凸状の段違い部２０３、２０５、２０６が形成され、声優の画像２０８と、配信サービスを示すマーク２０２が印刷されている。段違い部２０３、２０５、２０６には、それぞれ、２次元バーコード２０４が印刷されている。書籍の購入時に書店独自のブックカバーを巻いて販売されることが多いが、そのような場合でも、折返し部２０７の奥の方に段違い部２０３、２０５、２０６が形成されているので、覆い隠されにくい。書店独自のカバーが巻かれた状態でも、朗読コンテンツを聴くことができる。
【００４１】
ｂ）では、ブック帯の背表紙部２１２と側面部２１３が見えている。背面部２１２には、凸状の段違い部２１２が形成され、声優の画像２１０と、配信サービスを示すマーク２０９が印刷されている。段違い部２１１、２次元バーコードが印刷されている。側面部２１３上の表示はｃ）に示すので、ｂ）では省略してある。背面部２１２に段違い部２１１が形成されているので、本棚に置いた状態でも配信対応の書籍を容易に探すことができる。２次元バーコードを用いたことで、段違い部２１１が小さくなり、薄い書籍にも形成し易い。
【００４２】
ｃ）では、ブック帯の側面部２１３が見えている。側面部２１３には、凹状の段違い部２１６、２１７、２１８が形成され、声優の画像２１５と、配信サービスを示すマーク２１４が印刷されている。段違い部２１６、２１７、２１８には、それぞれ、２次元バーコードが印刷されている。凹状の段違い部なので、書籍を重ねる時でも引っかかりにくい。書籍を閉じた状態でも探せるが、書籍を重ねたり、ブックカバーを上に巻いてしまったりすると使えない。
【００４３】
ａ）、ｂ）、ｃ）のどれかを行なえばよいが、全てを行ってもよい。段違い部２０６、２１１、２１８、２１１、２１６、２１７、２１８に印刷された２次元バーコード２０４には、配信サーバとコンテンツを特定する情報を含む識別情報が入っている。この識別情報をもとに情報端末は朗読コンテンツの配信サーバにアクセスする。
【００４４】
段違い部２０６、２１１、２１８は、開いた書籍をイメージした外形の段違い部であり、上下が非対称の形状である。開いた書籍のイメージから、尖った方を下とするのは自然であり、そのように統一することで、段違い部の向きが分かる。出版社や卸業者が書籍にブック帯を巻く時に、書籍とブック帯の向きを揃えるのは当然であり、これにより、段違い部の向きからブック帯、更には書籍の向きも分ることになる。
【００４５】
段違い部２０５、２１７に印刷された２次元バーコードは声優からのメッセージの配信サーバにアクセスする為の２次元バーコードである。人の頭部をイメージした外形の段違い部でああり、上下が非対称の形状である。頭のイメージから、丸い方を上とするのは自然であり、そのように統一することで、段違い部の向き、更には、書籍の向きも分ることになる。声優の最近の活動等を配信する。声優が歌手や俳優や作家を兼ねている時は、曲や映画や書籍の一部を宣伝用に配信してもよい。コンサートや映画のチケットや書籍の販売をサイトにリンクを張っても良い。
【００４６】
段違い部２０３、２１６に印刷された２次元バーコードは出版社や、配信会社からのメッセージのコンテンツの配信サーバにアクセスする為の２次元バーコードである。会社の建物をイメージした外形の段違い部でああり、上下が非対称の形状である。斜めの屋根のイメージから、斜めの線を上とするのは自然であり、そのように統一することで、段違い部の向き、しいては書籍の向きも分ることになる。朗読配信対応の書籍の紹介等を行う。会社のコマーシャルを配信してもよい。視覚障害者も聞ける朗読サービスを増やすという活動に賛同し、協賛してくれるメーカや団体の紹介を行ってもよい。
【００４７】
配信サービスを示すマーク２０２、２０９、２１４は、書籍に朗読を付加するサービスということで、ここでは、開いた書籍の外形に”Ｂｏｏｋ＋”と表示したマークにしている。
【００４８】
図２はブック帯の図であるが、ブック帯の上下を長くして書籍全体を覆うようにすればブックカバーであり、ブックカバーもブック帯と同様である。書籍の本体に段違い部を形成するよりも、ブック帯やブックカバーに形成する方が容易である。ａ）、ｂ）、ｃ）において、２次元バーコード２０４をＩＣタグに置換えても同様である。２次元バーコードとＩＣタグの両方を段違い部に組込んでもよい。段違い部の横に点字で、説明文字を書いて、盲人の人に分かり易くしてもよい。
【００４９】
目の不自由な人は健常者に比べて人数が圧倒的に少なく、目の不自由な人専用のサービスを行おうとすると、コストが非常に高くなる。本発明では、健常者が購入する一般的な出版物に朗読音声サービスを追加するので、１冊当たりのサービスを提供するのにかかる費用を非常に小さくできる。協賛企業からコマーシャル料を貰うことや、サービスの追加で売上数を増やすことができれば、出版物の売値を上げることなくサービスを追加することも可能である。これにより、目が不自由で朗読サービスが必要な人も、安いコストで朗読サービスを受けることができるようになる。
【００５０】
配信する朗読コンテンツは、画像２０８、２１０、２１５の声優の音声だけでなく、朗読時の動画も配信しても良い。朗読の前後に、声優からの挨拶等を短く入れて、親近感を高めても良い。歌の場合、作詞家と作曲家だけでなく、歌手がいることで価値が上がるように、小説や漫画等の出版物も、作家だけでなく、声優が朗読することで、価値を上げることができる。人気の俳優や歌手が声優をすることで、出版年の古い小説等を目新しくして、リバイバルさせることもできる。声優が歌手であれば、自作の歌を朗読のバックミュージックに流して、広めることもできる。朗読を行う声優の人にとっては、社会貢献になるだけでなく、朗読を通して知名度を上げることができる。出版物の購入者にとっては、朗読サービスを聞く聞かないに関わらず、間接的に目の不自由な人を助けることになるので、購入自体が小さな社会貢献になる。
【実施例２】
【００５１】
図３は出版物をパンフレットとした第２の実施例である。文章３０２や画像３０３等のパンフレット自体の記事がシート３０１に印刷されており、下部に突起部３０５、３０７、３０９と配信サービスを示すマーク３１１が印刷されている。段違い部３０５上の２次元バーコード３０６はパンフレットの記事の朗読コンテンツへのアクセス用識別子であり、段違い部３０７上の２次元バーコード３０８はパンフレットの記事を英語に翻訳した文章の朗読コンテンツへのアクセス用識別子であり、段違い部３０９上の２次元バーコード３１０はパンフレットの記事に関連した情報のコンテンツへのアクセス用識別子である。
【００５２】
記事を読める人は記事を読んで、関連した情報だけを聞けばよく、目の不自由な人は両方を音声で聞くことができる。日本語よりも英語の方がよい人は英語の朗読を聞くことができる。  翻訳朗読マーク３０７の上には記載された表示「ＥＮＧＬＩＳＨ］により、翻訳言語が英語であることがわかる。もちろん、他の言語の翻訳文の朗読を行なう時は、その言語であることをその言語で表示する。
【００５３】
図２の段違い部と同様に、上下に非対称の形状であり、段違い部３０５、３０７、３０９の形状から段違い部の向き、更にはパンフレットの向きが分る。これにより、２次元バーコード３０６、３０８、３１０を読込む際に、パンフレットを通常の向きで扱うことができる。
【００５４】
配信サービスを示すマーク３１１は、パンフレットに音声を付加するサービスということで、ここでは、開いた書籍をイメージした外形に、声を付加するという意味の”Ｖｏｉｃｅ＋”と表示したマークにしている。段違い部だけでなく、朗読サービスを表すマークを統一することで、朗読サービスの認知度を高め、普及を計りやすくなる。
【００５５】
［実施例１、２共通］
図４は朗読コンテンツと連携コンテンツの詳細であり、ａ）は図２の書籍、ｂ）は図３のパンフレットに対応する。
【００５６】
ａ）に示すように、朗読データアドレス４０１の各値に朗読コンテンツ４０７と、連携コンテンツ４１０を構成する声優コンテンツ４１１と協賛コンテンツ４２１が対応している。朗読データアドレス４０１の０．０は操作方法の説明に対応するアドレスで、朗読コンテンツを再生する前は、１．０から始まる。
【００５７】
朗読コンテンツ４０８の再生を開始すると朗読データアドレス４０１は４０３の値に移り、１．１から順にインクリメントしながら対応する朗読コンテンツを再生していく。４０８の括弧以外は書籍の朗読である。括弧内は作者や題名、協賛会社、声優、挿絵の簡単な紹介等であり、このタイミングで連携コンテンツの関連データが切り替わる。視聴者はこれらの簡単な紹介を聞いてから関連マークを読取ることで連携コンテンツを聞ける。
【００５８】
朗読コンテンツの再生前で朗読データアドレス４０１が１．０の時に声優マークを読取ると「声優の作品１のワンカット」４１３を視聴できる。朗読データアドレス４０１が１．１から１．７の時に、声優マークを読取ると「声優の作品２のワンカット」４１４を視聴できる。山の挿絵があることを伝えた１．８で、声優マークを読取ると「山の挿絵の解説」４１５が聞ける。川の挿絵があることを伝えた１．１０で、声優マークを読取ると「川の挿絵の解説」４１６が聞ける。
【００５９】
朗読データアドレス４０１が１．０から１．２の時に協賛マークを読取ると「協賛企業のイメージＣＭ」４２３を視聴できる。朗読コンテンツ中で簡単に協賛会社の商品◇◇を紹介した１．３で、協賛企業コンテンツのデータが切り替わる。朗読データアドレス４０１が１．３から１．１２の時に協賛マークを読取ると「協賛企業の◇◇のＣＭ」４２４が聞ける。
【００６０】
後で示すように、朗読データアドレス４０１はキー入力できる。キー入力で０．０を設定し、声優マーク又は協賛マークを読込むと、操作方法の説明４１２、４２１を視聴できる。
【００６１】
書籍のように量の多い出版物の場合には、朗読コンテンツは複数回に分けて配信される。朗読マークの読取り１回で配信されるのは、朗読データアドレスが１．１２までに対応するコンテンツまでであり、１．１２に対応する朗読コンテンツの再生が終わると２．０（４０４）になる。２回目の朗読マークの読取りで、朗読データアドレスは２．１から２．１０（４０５）に移る。
【００６２】
２．０の時に、声優マークを読取ると「声優の作品３のワンカット」４１７、２．１から２．５の時に、声優マークを読取ると「声優の作品４のワンカット」４１８、２．６から２．７の時に、声優マークを読取ると「犬の挿絵の解説」４１９、２．８から２．１０の時に声優マークを読取ると、「キジの挿絵の解説」４２０を視聴できる。２．０から２．１の時に協賛マークを読取ると「協賛企業のイメージＣＭ２」４２５、２．２から２．１０の時に協賛マークを読取ると「協賛企業の紹介商品のＣＭ」４２６を視聴できる。朗読データアドレス４０１を介して、朗読コンテンツと声優コンテンツと協賛コンテンツが有機的に繋がる。朗読と記事の説明だけでなく、声優の作品を紹介する場となり、協賛企業の広告の場となる。
【００６３】
朗読コンテンツの再生中に声優マークや協賛マークの読取りの替りに、特定のキーの入力でも行えるようにしてもよいが、機能を覚えなければいけないキーが増えると操作性が悪くなる。声優マークや協賛マークのように内容の分るマークを使うことで、覚えなくても操作ができ、操作性が良くなる。コンテンツを視聴しない人でも、出版物を手にした人は声優マークや協賛マークを見るので、声優マークや協賛マーク自体が声優や協賛企業の宣伝としての価値を持つ。
【００６４】
ｂ）は図３のパンフレットに対応するコンテンツの詳細である。朗読コンテンツ４５６は、出版物自体の朗読コンテンツ４５５と出版物を外国語に翻訳した文章の朗読コンテンツ４５７がある。連携コンテンツ４５８は記事コンテンツ４５６のみである
【００６５】
朗読データアドレス４５１の０．０は操作方法の説明に対応するアドレスで、朗読コンテンツを再生する前は、１．０から始まる。１．０の時に朗読マーク、翻訳朗読マーク、記事マークを読取るとそれぞれ、朗読コンテンツ４５５、翻訳朗読コンテンツ４５７、記事コンテンツ４５８を視聴できる。
【００６６】
朗読コンテンツ４５５の再生を開始すると朗読データアドレス４５１は４５４の値１．１に移り順次インクリメントしながら、対応する朗読データを再生していく。４５５の括弧以外は書籍の朗読である。括弧内はパンフレット内の記事の簡単な紹介であり、このタイミングで記事コンテンツの関連データが切り替わる。  翻訳朗読コンテンツ４５７の再生を開始した場合でも同様であり、朗読データアドレス４５１は４５４の値１．１に移り順次インクリメントしながら、対応する朗読データを再生していく。４５７の括弧以外は書籍の朗読である。ここでは、４５７の中身を日本語で書いてあるが、翻訳朗読コンテンツはこの文章を英語に翻訳した朗読が再生される。括弧内はパンフレット内の記事の簡単な紹介であり、このタイミングで記事コンテンツの関連データが切り替わる。視聴者はこれらの簡単な紹介を聞いてから記事マークを読取ることで連携コンテンツを聞ける。朗読コンテンツ４５５も翻訳朗読コンテンツ４５７も共通の朗読データアドレス４５１をインクリメントしながら再生するので、途中で切替えて続きを視聴することができる。
【００６７】
１枚物のパンフレットなので、朗読マークの読取り１回で、全ての朗読コンテンツが配信され、朗読コンテンツの視聴終了で、朗読データアドレスは１．０に戻る。
【００６８】
朗読データアドレス４５１が１．０（４５３）は朗読コンテンツを再生する前であり、記事マークを読取ると「□□株式会社の紹介」４６０を視聴できる。朗読データアドレス４５１が１．１から１．５の時に記事マークを読取ると「パンフレット以外の見所」４６１を視聴できる。銅像があることを伝えた１．６から１．７の時に記事マークを読取ると「△△銅像の解説」４６２が聞ける。山の挿絵があることを伝えた１．８から１．１０の時に記事マークを読取ると「☆☆山の解説」４６３が視聴できる。キー入力で朗読データアドレス４５１を０．０に設定し、記事マークを読込むと、操作方法の説明４５９を視聴できる。
【００６９】
朗読データアドレス４５１を介して、朗読コンテンツと翻訳朗読コンテンツと記事コンテンツが有機的に繋がる。パンフレットを見るだけでなく、朗読を聞くことで記事の印象が強まる。更に記事に関する音声や映像を視聴することで、パンフレットでは伝えきれない情報を伝えることができる。朗読と記事を連続的に視聴することで、テレビ番組のような統一感も生まれる。外国人の居住者も翻訳朗読マークを見付けることで、翻訳朗読コンテンツがあることが分かり、翻訳文章の朗読を視聴できることがすぐに分る。マークを凸状又は凹状にすることで、目の不自由な人も翻訳文章の朗読を視聴できることがすぐに分る。
【００７０】
従来から、出版物の記事や画像の近くに識別子を配置して、関連する情報を配信したり、サイトのアドレスに変換したりすることは行なわれているが、近くの記事や画像に関する情報を配信するという意味では全体で１種類のサービスでしかなく、１つ１つの識別子は１種類のサービスの中の識別子の数分の１の宣伝効果しかなかった。本発明のように朗読マークや翻訳朗読マーク、声優マーク、協賛マーク、記事マークがあることで、提供される朗読コンテンツや翻訳朗読コンテンツ、声優コンテンツ、協賛コンテンツ、記事コンテンツそれぞれが、出版物と対応したサービスとして認識されるようになる。声優マーク自体が声優の宣伝となり、協賛マーク自体が協賛企業の広告となり、出版物の所有者がコンテンツ自体を視聴しなくてもマークがあることで宣伝の効果がある。自分の感動した出版物の朗読を行なうことで、声優の興味や生き方を伝えることもできる。どのような出版物の朗読サービスに協賛するかで、企業の理念を間接的に伝えることもできる。
【００７１】
図５以降は第１、第２実施例に共通する図面である。図５のａ）からｆ）は段違い部の上面図であり、ｇ）からｋ）は断面図、ｌ）とｍ）は段違いとしない識別子の上面図と断面図である。識別子５０１は２次元バーコード又はＩＣタグである。２次元バーコードとＩＣタグの両方を設けてもよい。
【００７２】
ａ）の朗読マークは朗読コンテンツの配信用の段違い部である。開いた書籍をイメージした形状の段違い部５０２であり、尖った方が下である。
【００７３】
ｂ）の翻訳朗読マーク５０３は翻訳朗読コンテンツの配信用の段違い部である。翻訳者が翻訳しているのをイメージした形状の段違い部であり、上側は開いた書籍、下側は翻訳者の顔のイメージであり、丸い方が下である。
【００７４】
ｃ）の声優マーク５０４は連携コンテンツの内で声優からのメッセージや声優に関する情報の配信用である。人の頭部をイメージした外形の段違い部４０３であり、丸い方が上である。
【００７５】
ｄ）の時期マーク５０５は連携コンテンツの内で、出版物の記事や画像に関するコンテンツの配信用である。指をイメージした外形の段違い部であり、指の指している方向が上である。
【００７６】
ｅ）は連携コンテンツの内で、協賛企業の商品のＣＭやイメージＣＭの配信用である。会社の建物をイメージした外形の段違い部であり、屋根をイメージした斜めの線が上である。
【００７７】
ｆ）は連携コンテンツの内で、出版社の企業紹介ＣＭや出版物、作家の紹介をい行なうコンテンツの配信用である。開いた出版物が箱に入っているのをイメージした外形の段違い部であり、Ｖ字状の切り欠きが上である。
【００７８】
段違い部の形状はａ）からｄ）に限る必要はないが、提供するコンテンツの種類に対応したイメージの外形とすることで、それぞれのマークが親しみやすくなる。
【００７９】
ｇ）、ｈ）、ｉ）は凸状の段違い部であり、段違い部はシート５０８、５０９を型で上に押し出して成型されている。識別子５０１はシート５０８、５０９の上面でも下面でも構わない。ｉ）は識別子５０１が印刷されたシート５１１に、透明部材５１０を貼付けて作られている。材料費を抑えるならばｇ）、ｈ）がよく、高級感を出すにはｉ）が適している。
【００８０】
ｊ）、ｋ）は凹状の段違い部であり、ｊ）はシート５１２を型で下に押し出して成型されている。識別子５０１はシート５１２の上面でも下面でも構わない。ｋ）は識別子５０１が印刷されたシート５１３に、穴の開いたシート５１４を貼付けて作られている。材料費を抑えるならばｊ）がよく、高級感を出すにはｋ）が適している。
【００８１】
ｌ）、ｍ）は段違い部の替りに識別子５０１の周りに朗読マークをイメージした形状の図形を太線で印刷しただけのものである。断面図ｍ）で示すように、シート５１７に識別子５０１と図形５１６が印刷されているだけである。目の不自由な人を対象にしない場合には、このように印刷で輪郭を表示するだけでもよい。太線にすることで、強調することができる。
【００８２】
目の不自由な人が用いる点字の点の高さは一般的に０．３〜０．６ｍｍ程度であり、段違い部も点字と同様に指で触って形状を判断することを考えると、高さは点字と同様に、０．３〜０．６ｍｍが妥当である。出版物の厚みを押さえたい場合には、指で検出可能ぎりぎりな０．２ｍｍに近づけてもよいし、マークを強調したい出版物では１ｍｍ程度まで高くしても、もちろん構わない。段違い部の大きさは、指で触って形状を判断することを考えると、５ｍｍ角から３ｃｍ角程度が良さそうであるが、２次元バーコードやＩＣタグの大きさがいろいろあるので、配置する２次元バーコードやＩＣタグに合わせた大きさとすればよい。
【００８３】
図６は情報端末のフローである。ａ）のアプリケーションｒ＿ａｐｌｉは２次元バーコードやＩＣタグの読込み機能を持った情報端末が予め持っているアプリケーションソフトであり、２次元バーコードを読込むと、対応するサイトからアプリケーションｄ＿ａｐｌｉのコードを入手する。ｂ）のｄ＿ａｐｌｉは朗読コンテンツの受信と再生を行うアプリケーションソフトである。
【００８４】
ａ）のｒ＿ａｐｌｉでは、Ｓ１０１でＳＴＲＴキーがオンされたら、Ｓ１０２で２次元バーコード又はＩＣタグからなる識別子を読込み、識別情報を算出し、Ｓ１０３で識別情報を配信サーバに送る。識別情報は、コンテンツの種類を識別する情報や、コンテンツが格納されている配信サーバのアドレスだけでなく、配信サーバのディレクトリ情報を含んでいてもよい。Ｓ１０４で配信サーバからアプリケーションｄ＿ａｐｌｉのコードを受信したら、Ｓ１０５で受信したアプリケーションｄ＿ａｐｌｉのコードを記憶する。Ｓ１０６でｒ＿ａｐｌｉが終了するまでＳ１０１との間を繰り返す。
【００８５】
アプリケーションｒ＿ａｐｌｉは、２次元バーコードやＩＣタグの読込みを行なう一般的なアプリケーションなので、アプリケーションｄ＿ａｐｌｉのコード以外も受信するが、本発明に直接は関係しないので、省略している。
【００８６】
ｂ）に情報端末の操作に応じて、朗読コンテンツの配信サイトへアクセスし、再生を行うアプリケーションｄ＿ａｐｌｉのフローを示す。ｄ＿ａｐｌｉ中では、ＳＴＲＴキーは識別子の読込み用キー、１キーは任意のページを撮影することでページ番号を入力する為の操作キー、２キーは所有者認証用のページ撮影用のキー、→キーは先送りキー、←キーは戻しキー、↑キーは音量アップキー、↓キーは音量ダウンキー、ＣＬＲキーは再生の停止キー、ＯＦＦキーはアプリケーションの終了キーとして機能する。ページ数を直接入力する時は、＊キー、数字キー、＃キーを連続して入力することで行う。＊＊＃と入力することで、朗読データアドレスｒ＿ａｄｒの退避を行なう。＊＃と入力することで、朗読データアドレスｒ＿ａｄｒの復帰を行なう。情報端末毎にアプリケーションソフトｄ＿ａｐｌｉの開始の操作は異なるのが普通であり、どのような操作で開始しても構わないので開始操作のフローは省略する。
【００８７】
Ｓ１１０で朗読データアドレスｒ＿ａｄｒを朗読コンテンツの再生前の値１．０に初期化する。Ｓ１１１でＯＦＦキーがオンされると、Ｓ１１２で再生を終了し、アプリケーションｄ＿ａｐｌｉを終了し、Ｓ１１３でリターンする。
【００８８】
Ｓ１１４で「＊＊＃」が入力されると、Ｓ１１５で朗読データアドレスｒ＿ａｄｒをｏｌｄ＿ａｄｒに記憶する。Ｓ１１６で「＊＃」が入力されると、Ｓ１１７でｏｌｄ＿ａｄｒを朗読データアドレスｒ＿ａｄｒに戻す。朗読中の任意の箇所を記憶させて、後から戻すことができる。
【００８９】
Ｓ１１８で１キーをオンすると、Ｓ１１９でページを撮影し、Ｓ１２０で撮影した画像から朗読データアドレスｒ＿ａｄｒを算出する。
Ｓ１２１で、＊キーと数字キーと＃キーを連続して入力すると、Ｓ１２２で入力された数字を朗読データアドレスｒ＿ａｄｒに入力する。コンテンツを視聴したいページに情報端末の撮影部を対面させて、撮影することでそのページからの朗読コンテンツを視聴できる。＊キーと０キーと＃キーを連続して入力した時は、朗読データアドレスｒ＿ａｄｒを０．０とし、操作方法の説明を聞けるようにする。Ｓ１２０で行なわれる朗読データアドレスｒ＿ａｄｒの算出は、情報端末自体で行ってもよいし、配信サーバに問い合せても良い。
【００９０】
Ｓ１２３で、識別子に読込み部を対面させて、ＳＴＲＴキーをオンすると、Ｓ１２４で識別子を読込み、Ｓ１２５で識別情報を算出する。出版物の段違い部に２次元バーコードとＩＣタグが組込まれている時には、２次元バーコードの読込みとＩＣタグの読込みの両方を行う。混線の可能性の少ない２次元バーコードを先に読込み、読めない時にＩＣタグの読込みを行うのがよいであろう。Ｓ１２６で識別情報と朗読データアドレスｒ＿ａｄｒで特定されるコンテンツが受信済の時は、Ｓ１２９に移り、識別情報と朗読データアドレスｒ＿ａｄｒで特定されるコンテンツの再生を行なう。受信済でない時は、Ｓ１２７で識別情報と朗読データアドレスｒ＿ａｄｒを配信サーバに送信する。配信サーバからは、識別情報と朗読データアドレスｒ＿ａｄｒで特定されるコンテンツが送られてくる。Ｓ１２８で朗読又は連携コンテンツを受信したら、Ｓ１２９で受信したコンテンツを再生する。
【００９１】
Ｓ１３０で２キーがオンされたら、Ｓ１３１で認証用にページを撮影し、Ｓ１３２で撮影したページ画像を配信サーバに送信する。Ｓ１３３で認証要求を受信したら、Ｓ１３４で認証用撮影を音声で要求する。出版物の任意のページの画像を撮影し、配信サーバに送ることで、出版物の所有者であることの認証を行なっている。認証のたびに同じページの画像が送られてきたときは、配信サーバはコンテンツの配信を行なわずに、他のページ画像が必要であることを情報端末に伝えてもよい。
【００９２】
２次元バーコードの読込みだけで配信した場合、２次元バーコードのコピーだけを持ち、出版物本体を持たなくてもアクセスできてしまう。出版物本体を確実に所有している人にコンテンツが配信されることを、出版社が希望することが考えられる。出版物を所有しているかを判断するには、出版物の任意のページの撮影画像や、記事に関する質問の答や、任意のページ中の文字を送ってもらい、配信サーバのデータベース上の出版物データと比較する方法や会員登録が考えられる。会員登録はど煩わしくなく、目の不自由な人でも容易に行えるので、撮影した任意のページ画像を送ってもらい配信サーバで配信を禁止する方法を使っている。出版物の複数のページのコピーがあれば、認証もできてしまうが、権利者の許可を得ずに出版物をコピーすること自体著作権上問題があるし、コピーするは面倒なので、ページ画像の確認で、ほぼ所有者の確認ができるといえる。
【００９３】
Ｓ１３５でコンテンツの再生中であれば、Ｓ１３６以下の処理を行なう。Ｓ１３６でＣＬＲキーがオンされたら、Ｓ１３７で再生を一時停止する。Ｓ１３８で上向きの矢印キー又は下向きの矢印キーがオンされると、Ｓ１３９で音量をアップ又はダウンする。
【００９４】
Ｓ１４０で朗読データアドレスｒ＿ａｄｒの朗読データの再生終了を判断したら、Ｓ１４１で、朗読データアドレスｒ＿ａｄｒの下位をインクリメントする。朗読データの１ブロック分の再生の終了を判断すると、Ｓ１４３で朗読データアドレスｒ＿ａｄｒの上位をインクリメントし、下位を０にする。最後の朗読データだった時は、ｒ＿ａｄｒを１．０にする。
【００９５】
Ｓ１４４で右向きの矢印キー又は左向きの矢印キーがオンされると、Ｓ１４５で再生中のコンテンツが朗読コンテンツか判断する。朗読コンテンツの時はＳ１４６で朗読データアドレスｒ＿ａｄｒをインクリメント又はデクリメントする。連携コンテンツの再生中の時は、Ｓ１４７で朗読データアドレスｒ＿ａｄｒの値を１つ前又は１つ後の連携コンテンツがある所の値にする。Ｓ１４８で、識別情報と朗読データアドレスｒ＿ａｄｒで特定されるコンテンツが受信済でない時は、Ｓ１４９で識別情報と朗読データアドレスｒ＿ａｄｒを配信サーバに送信する。
【００９６】
図７は配信サーバのフローである。朗読コンテンツの配信に関する処理以外は省略している。Ｓ２０１で、情報端末のアプリケーションｒ＿ａｐｌｉによる識別情報を受信したら、Ｓ２０２でｄ＿ａｐｌｉのコードを情報端末に送信する。
【００９７】
Ｓ２０３で情報端末のアプリケーションｄ＿ａｐｌｉによる識別情報を受信した時は、Ｓ２０４で識別情報と朗読データアドレスｒ＿ａｄｒをもとにデータベースを参照して、認証が必要かを調べる。Ｓ２０５で認証が必要なコンテンツの時は、Ｓ２０８で認証要求を送信する。Ｓ２０５で認証が不要なコンテンツの時は、Ｓ２０９に移る。出版物やコンテンツの権利保有者と認証の必要性を相談し、認証が必要か不要かを識別情報と朗読データアドレスｒ＿ａｄｒに対応させてデータベースに記憶させる。
【００９８】
Ｓ２０７で認証用ページ画像を受信したら、Ｓ２０８で認証用ページ画像が妥当か判断し、妥当であればＳ２０９に移る。Ｓ２０９では識別情報と朗読データアドレスｒ＿ａｄｒｔで特定されるコンテンツを情報端末に配信する。出版物の朗読コンテンツが大きな時には、複数の朗読コンテンツに分割し、１回のアクセスに応じて、分割された朗読コンテンツを先頭から順に１つ配信する。
【００９９】
Ｓ２０７の妥当かの判断は、ページ画像を文字変換し、ページ画像中の文字列を算出してから行うのが容易である。ページ画像の撮影で得られる複数行の文字列の中の所定文字数分の文字列を抜き出し、出版物中の文字列を記憶するデータベース中の文字列と比較する。抜き出された文字列の文字が、所定割合以上一致すれば妥当と判断する。一致しないときは、ページ画像中の比較に用いなかった文字列で再度比較する。情報端末の処理能力が高ければ、情報端末が文字変換を行ってもよい。
【０１００】
図８は所要な識別子とコンテンツに注目した構成図であり、本発明のビジネス的な面や、社会貢献的な面から見た効果を説明する。出版物６０１と情報端末６１０，配信サーバ６２８から構成される。
【０１０１】
出版物６０１には、出版物自体の朗読用識別子６０３と外国語への翻訳文の朗読用識別子６０４を含む朗読用識別子６０２と、記事・画像の解説用識別子６０６と声優の紹介用識別子６０７と協賛企業のＣＭ用識別子６０８を含む連携用識別子が配置される。
【０１０２】
情報端末６１０には、識別情報６１２を読込む読取り手段６１１と、朗読データアドレス入力手段６１３と朗読コンテンツ再生手段６１８と、連携コンテンツ再生手段６２２が含まれる。朗読コンテンツ再生手段６１８には、出版物自体の朗読コンテンツ６２３と、翻訳朗読コンテンツ６２４と、朗読データアドレスｒ＿ａｄｒｔ６１５をコンテンツの再生に合わせて更新する朗読データアドレス更新手段６１４が含まれる。連携コンテンツ再生手段６２２には、関連コンテンツ６２５と、声優コンテンツ６２６と、協賛コンテンツ６２７が含まれる。６２３から６２７のコンテンツには、朗読データアドレスｒ＿ａｄｒｔ６１５以外に、それぞれ、出版物自体の朗読データ６１６、翻訳文の朗読データ６１７、出版物上の記事・画像の解説データ６１９、声優の紹介・コンサート・ＣＤの紹介データ６２０、協賛企業のＣＭデータ６２１が含まれる。配信サーバ６２８には、朗読コンテンツ６２９と、連携コンテンツ６３０が含まれる。
【０１０３】
６０３、６０４、６０６、６０７、６０８の識別子は、それぞれ、出版物全体に関係するコンテンツ用の識別子であり、出版物の表面等の目立つ箇所に配置されることになり、コンテンツだけでなく、識別子自体も高い宣伝効果を持つことになる。コンテンツの配信により出版物へ付加価値を追加するだけでなく、コンテンツの提供者へ宣伝効果を還元することができる。
【０１０４】
コンテンツの配信及び識別子の配置で実現される主要なビジネス的、社会貢献的な効果には次のようなものが考えられる。第１は６３１であり、出版物自体の朗読コンテンツを目の不自由な人に提供することでバリアフリーを実現できる。第２は６３２であり、内外出版物の翻訳文の朗読コンテンツを提供することで、言語に関する壁を取り除き、出版物のボーダーレス化をはかれる。第３は６３３であり、出版物の記事・画像の解説を行なうことで、出版物の補足を行える。第４は６３４であり、声優の紹介・コンサート・ＣＤの紹介を行なうことで声優の宣伝が行えるだけでなく、目の不自由な人への朗読を行なっているということでイメージアップもはかれる。宣伝やボランティア的な意味合いから、朗読の吹込みを比較的安い出演料で行なってくれる声優を見付けやすい。識別子の近傍に協賛企業名を表示することで、出版物を手にした人にも企業の宣伝になり、ＣＭコンテンツで更に深く宣伝できるので、協賛企業からＣＭ料をもらうことが可能である。第５の効果は６３５であり、配信サービスの制作費と配信費用を確保することができる。第４の吹込み費用の低減と、第５の制作費と配信費用の確保により、第６の効果６３６が得られる。すなわち、出版物のコストをアップさせずに、出版物のおまけ的に朗読サービスを提供できるようになる。
【０１０５】
個々の出版物では、これら５種類のコンテンツを全て提供する必要はなく、出版物に合った種類のコンテンツを選んで提供すればよい。又、コンテンツの種類は上記５種類に限定されるものではない。自然がテーマの出版物ならば、自然公園の野鳥観察用カメラのライブ映像を連携コンテンツとして連携させることも考えられる。ＳＦ小説ならば、人口衛星からの地球のライブ映像を連携コンテンツとしてもよい。
【０１０６】
このように、連携コンテンツは出版物上の記事や画像と直接関係する関連コンテンツだけでなく、出版物のモチーフやシーン、ファッション、季節、時代等のイメージと相乗効果を得られるものでもよい。複数の声優が朗読を行なった場合は、その分、識別子と朗読コンテンツを増やせばよい。協賛企業が複数ある場合は、その分、識別子と協賛コンテンツを増やしてもよいし、複数の企業ＣＭをまとめた協賛コンテンツとしてもよい。
【産業上の利用可能性】
【０１０７】
本発明は、出版物の朗読コンテンツを配信する朗読コンテンツ配信システムで利用される。
【図面の簡単な説明】
【０１０８】
【図１】配信システムの概念図である。
【図２】識別子を有する書籍の外観図である。（実施例１）
【図３】識別子を有するパンフレットの外観図である。（実施例２）
【図４】朗読コンテンツと連携コンテンツの詳細である。（実施例１、２共通）
【図５】識別子を含むマークの上面図と断面図である。（実施例１、２共通）
【図６−ａ】情報端末の識別子読込みフローである。（実施例１、２共通）
【図６−ｂ】情報端末の受信再生フローである。（実施例１、２共通）
【図７】配信サーバのフローである。（実施例１、２共通）
【図８】識別子とコンテンツに注目した構成図である。（実施例１、２共通）
【符号の説明】
【０１０９】
１０１    出版物
１０２    書籍
１０３    ブックカバー又はブック帯
１０４    朗読コンテンツ用識別子の周辺の段違い部
１０５    朗読コンテンツ用識別子
１０６    連携コンテンツ用識別子の周辺の段違い部
１０７    連携コンテンツ用識別子
１０８    声優の挿絵
１０９    出版物の所有者
１１０    朗読データアドレス
１１１    朗読コンテンツ再生手段
１１２    連携コンテンツ再生手段
１１３    連携コンテンツ
１１４    関連データ
１１５    朗読データ
１１６    朗読コンテンツ
１１７    情報端末
１１８    アクセス手段
１１９    携帯電話
１２０    読取り手段
１２１    識別情報
１２２    ネットワーク網
１２３    配信サーバ
１２４    配信手段
１２５    配信サーバの記憶手段
１２６    朗読コンテンツ制作オフィス
１２７    声優
１２８    連携コンテンツ制作オフィス
１２９    朗読データアドレス更新手段
１３０    朗読データアドレス入力手段
１３１    翻訳朗読コンテンツ用識別子の周辺の段違い部
１３２    翻訳朗読コンテンツ用識別子
【図１】
2007264873.tif 000003
【図２】
2007264873.tif 000004
【図３】
2007264873.tif 000005
【図４】
2007264873.tif 000006
【図５】
2007264873.tif 000007
【図６−ａ】
2007264873.tif 000008
【図６−ｂ】
2007264873.tif 000009
【図７】
2007264873.tif 000010
【図８】
2007264873.tif 000011
【手続補正書】
【提出日】平成18年4月3日(2006.4.3)
【手続補正１】
【補正対象書類名】明細書
【補正対象項目名】００１３
【補正方法】変更
【補正の内容】
【００１３】
出版物自体の朗読コンテンツと出版物を翻訳した文書の朗読コンテンツを自由に切替
えて視聴できるようにすることも目的とする。
【手続補正２】
【補正対象書類名】明細書
【補正対象項目名】００１８
【補正方法】変更
【補正の内容】
【００１８】
出版物１０１は複数のページからなる書籍１０２や、１枚のページからなるパンフレット等の印刷物である。出版物１０１に直接又は出版物に巻かれたブックカバー１０３の所定の位置に、出版物の朗読コンテンツを特定する識別子１０５と、出版物の翻訳文章を朗読した翻訳朗読コンテンツを特定する識別子１３２と、出版物に連携させた連携コンテンツを特定する識別子１０７が配置される。識別子１０５、１３２、１０７は２次元バーコード又はＩＣタグからなる。識別子１０５、１３２、１０７の周辺には凸状又は凹状の段違い部１０４、１３１、１０６を設ける。連携コンテンツは朗読コンテンツに関連した記事や、出版物の作者や出版社、更に、朗読をおこなった声優や、朗読コンテンツの制作資金の提供者等、出版物や朗読コンテンツの作成に関わった人や組織に関する情報からなるコンテンツである。ここでは、朗読をおこなった声優と制作資金を提供した協賛企業に関するコンテンツを連携コンテンツとして提供している。１０８のように声優の画像等を印刷し、声優の宣伝をしてもよい。協賛企業名を印刷して協賛企業の宣伝を行なってもよい。
【手続補正３】
【補正対象書類名】明細書
【補正対象項目名】００２５
【補正方法】変更
【補正の内容】
【００２５】
朗読コンテンツ１１６は出版物１０１自体の朗読コンテンツだけでなく、出版物１０１を他言語に翻訳した文章の朗読コンテンツ（以下、翻訳朗読コンテンツ）も提供できる。出版物１０１自体の朗読コンテンツも翻訳朗読コンテンツも朗読コンテンツ再生手段１１１で再生される。どちらかの朗読コンテンツを再生すると、再生に応じて、朗読データアドレス１１０も更新される。再生していない方の朗読コンテンツ用の識別子を読込むと再生する朗読コンテンツが切り替わる。外国語と自国語を簡単に切替えられる。出版物に翻訳朗読コンテンツ用の識別子１３２が配置されているので、出版物を見ただけで、翻訳朗読コンテンツに対応していることが分る。
【手続補正４】
【補正対象書類名】明細書
【補正対象項目名】００３４
【補正方法】変更
【補正の内容】
【００３４】
（３）出版物の所定の位置に朗読コンテンツを特定する識別情報を有する第１の識別子と、翻訳朗読コンテンツを特定する識別情報を有する第２の識別子が配置される。情報端末は、朗読データアドレスに対応する朗読コンテンツ又は翻訳朗読コンテンツの再生と前記朗読データアドレスの更新を行う朗読コンテンツ再生手段とを持つ。朗読コンテンツと翻訳朗読コンテンツの再生は、共通の朗読データアドレスにもとづいて行なわれ、再生に応じて、朗読データアドレスの更新も行なうので、内容の順序が入れ替わることなく朗読コンテンツと翻訳朗読コンテンツを切替えできる。したがって、出版物自体の朗読コンテンツと出版物を翻訳した文書の朗読コンテンツを自由に切替えて視聴できる。
【手続補正５】
【補正対象書類名】明細書
【補正対象項目名】００３５
【補正方法】変更
【補正の内容】
【００３５】
（４）識別子の周辺の段違い部の少なくとも１つは回転非対称な形状なので、目の不自由な人でも、段違い部の方向が分かることで出版物の方向も分る。朗読コンテンツ用の識別子と連携コンテンツ用の識別子の周辺は異なる形状の凸状又は凹状の段違い部で囲まれているので、視聴したいコンテンツ用の識別子を探すのも容易である。従って、目の不自由な人でも、出版物を自然な向きで扱うことができ、コンテンツの視聴も容易である。
【手続補正６】
【補正対象書類名】明細書
【補正対象項目名】００４１
【補正方法】変更
【補正の内容】
【００４１】
ｂ）では、ブック帯の背表紙部２１２と側面部２１３が見えている。背面部２１２には、凸状の段違い部２１１が形成され、声優の画像２１０と、配信サービスを示すマーク２０９が印刷されている。段違い部２１１に２次元バーコードが印刷されている。側面部２１３上の表示はｃ）に示すので、ｂ）では省略してある。背面部２１２に段違い部２１１が形成されているので、本棚に置いた状態でも配信対応の書籍を容易に探すことができる。２次元バーコードを用いたことで段違い部２１１が小さくなり、薄い書籍にも形成し易い。
【手続補正７】
【補正対象書類名】明細書
【補正対象項目名】００４３
【補正方法】変更
【補正の内容】
【００４３】
ａ）、ｂ）、ｃ）のどれかを行なえばよいが、全てを行ってもよい。段違い部２０３、２０５、２０６、２１１、２１６、２１７、２１８に印刷された２次元バーコード２０４には、配信サーバとコンテンツを特定する情報を含む識別情報が入っている。この識別情報をもとに情報端末は朗読コンテンツの配信サーバにアクセスする。
【手続補正８】
【補正対象書類名】明細書
【補正対象項目名】００５２
【補正方法】変更
【補正の内容】
【００５２】
記事を読める人は記事を読んで、関連した情報だけを聞けばよく、目の不自由な人は両方を音声で聞くことができる。日本語よりも英語の方がよい人は英語の朗読を聞くことができる。  翻訳朗読マーク３０７の上に記載された表示「ＥＮＧＬＩＳＨ］により、翻訳言語が英語であることがわかる。もちろん、他の言語の翻訳文の朗読を行なう時は、その言語であることをその言語で表示する。
【手続補正９】
【補正対象書類名】明細書
【補正対象項目名】００５６
【補正方法】変更
【補正の内容】
【００５６】
ａ）に示すように、朗読データアドレス４０１の各値に朗読コンテンツ４０７と、連携コンテンツ４１０を構成する声優コンテンツ４１１と協賛コンテンツ４２１が対応している。朗読データアドレス４０１の０．０（４０２）は操作方法の説明に対応するアドレスで、朗読コンテンツを再生する前は、１．０（４０３）から始まる。
【手続補正１０】
【補正対象書類名】明細書
【補正対象項目名】００６０
【補正方法】変更
【補正の内容】
【００６０】
後で示すように、朗読データアドレス４０１はキー入力できる。キー入力で０．０を設定し、声優マーク又は協賛マークを読込むと、操作方法の説明４１２、４２２を視聴できる。
【手続補正１１】
【補正対象書類名】明細書
【補正対象項目名】００６１
【補正方法】変更
【補正の内容】
【００６１】
書籍のように量の多い出版物の場合には、朗読コンテンツは複数回に分けて配信される。朗読マークの読取り１回で配信されるのは、朗読データアドレスが１．１２までに対応するコンテンツまでであり、１．１２に対応する朗読コンテンツの再生が終わると２．０（４０５）になる。２回目の朗読マークの読取りで、朗読データアドレスが２．１から２．１０の朗読コンテンツ（４０６）を受信する。
【手続補正１２】
【補正対象書類名】明細書
【補正対象項目名】００７３
【補正方法】変更
【補正の内容】
【００７３】
ｂ）の翻訳朗読マーク５０３は翻訳朗読コンテンツの配信用の段違い部である。翻訳者が翻訳しているのをイメージした形状の段違い部であり、上側は開いた書籍、下側は翻訳者の顔のイメージであり、丸い方が下である。段違い部の近傍又は、段違い部上に翻訳言語名を表す表示５１８を記載する。
【手続補正１３】
【補正対象書類名】明細書
【補正対象項目名】００７５
【補正方法】変更
【補正の内容】
【００７５】
ｄ）の記事マーク５０５は連携コンテンツの内で、出版物の記事や画像に関するコンテンツの配信用である。指をイメージした外形の段違い部であり、指の指している方向が上である。
【手続補正１４】
【補正対象書類名】明細書
【補正対象項目名】００７７
【補正方法】変更
【補正の内容】
【００７７】
ｆ）は連携コンテンツの内で、出版社の企業紹介ＣＭや出版物、作家の紹介を行なうコンテンツの配信用である。開いた出版物が箱に入っているのをイメージした外形の段違い部であり、Ｖ字状の切り欠きが上である。
【手続補正１５】
【補正対象書類名】明細書
【補正対象項目名】００８０
【補正方法】変更
【補正の内容】
【００８０】
ｊ）、ｋ）は凹状の段違い部であり、ｊ）はシート５１２を型で下に押し出して成型されている。識別子５０１はシート５１２の上面でも下面でも構わない。ｋ）は識別子５０１が印刷されたシート５１４に、穴の開いたシート５１３を貼付けて作られている。材料費を抑えるならばｊ）がよく、高級感を出すにはｋ）が適している。
【手続補正１６】
【補正対象書類名】明細書
【補正対象項目名】００９２
【補正方法】変更
【補正の内容】
【００９２】
２次元バーコードの読込みだけで配信した場合、２次元バーコードのコピーだけを持ち、出版物本体を持たなくてもアクセスできてしまう。出版物本体を確実に所有している人にコンテンツが配信されることを、出版社が希望することが考えられる。出版物を所有しているかを判断するには、出版物の任意のページの撮影画像や、記事に関する質問の答や、任意のページ中の文字を送ってもらい、配信サーバのデータベース上の出版物データと比較する方法や会員登録が考えられる。会員登録するほどの煩わしさがなく、目の不自由な人でも容易に行えるので、撮影した任意のページ画像を送ってもらい配信サーバで配信を禁止する方法を使っている。出版物の複数のページのコピーがあれば、認証もできてしまうが、権利者の許可を得ずに出版物をコピーすること自体著作権上問題があるし、コピーするは面倒なので、ページ画像の確認で、ほぼ所有者の確認ができるといえる。
【手続補正１７】
【補正対象書類名】明細書
【補正対象項目名】００９４
【補正方法】変更
【補正の内容】
【００９４】
Ｓ１４０で朗読データアドレスｒ＿ａｄｒの朗読データの再生終了を判断したら、Ｓ１４１で、朗読データアドレスｒ＿ａｄｒの下位をインクリメントする。Ｓ１４２で、朗読データの１ブロック分の再生の終了を判断すると、Ｓ１４３で朗読データアドレスｒ＿ａｄｒの上位をインクリメントし、下位を０にする。最後の朗読データだった時は、ｒ＿ａｄｒを１．０にする。
【手続補正１８】
【補正対象書類名】明細書
【補正対象項目名】００９７
【補正方法】変更
【補正の内容】
【００９７】
Ｓ２０３で情報端末のアプリケーションｄ＿ａｐｌｉによる識別情報を受信した時は、Ｓ２０４で識別情報と朗読データアドレスｒ＿ａｄｒをもとにデータベースを参照して、認証が必要かを調べる。Ｓ２０５で認証が必要なコンテンツの時は、Ｓ２０６で認証要求を送信する。Ｓ２０５で認証が不要なコンテンツの時は、Ｓ２０９に移る。出版物やコンテンツの権利保有者と認証の必要性を相談し、認証が必要か不要かを識別情報と朗読データアドレスｒ＿ａｄｒに対応させてデータベースに記憶させる。
【手続補正１９】
【補正対象書類名】明細書
【補正対象項目名】０１００
【補正方法】変更
【補正の内容】
【０１００】
図８は主要な識別子とコンテンツに注目した構成図であり、本発明のビジネス的な面や、社会貢献的な面から見た効果を説明する。出版物６０１と情報端末６１０，配信サーバ６２８から構成される。
【手続補正２０】
【補正対象書類名】明細書
【補正対象項目名】０１０１
【補正方法】変更
【補正の内容】
【０１０１】
出版物６０１には、出版物自体の朗読用識別子６０３と外国語への翻訳文の朗読用識別子６０４を含む朗読用識別子６０２と、記事・画像の解説用識別子６０６と声優の紹介用識別子６０７と協賛企業のＣＭ用識別子６０８を含む連携用識別子６０５が配置される。
【手続補正２１】
【補正対象書類名】明細書
【補正対象項目名】０１０８
【補正方法】変更
【補正の内容】
【０１０８】
【図１】配信システムの概念図である。
【図２】識別子を有する書籍の外観図である。（実施例１）
【図３】識別子を有するパンフレットの外観図である。（実施例２）
【図４】朗読コンテンツと連携コンテンツの詳細である。（ａ）は実施例１、ｂ）は実施例２）
【図５】識別子を含むマークの上面図と断面図である。（実施例１、２共通）
【図６−ａ】情報端末の識別子読込みフローである。（実施例１、２共通）
【図６−ｂ】情報端末の受信再生フローである。（実施例１、２共通）
【図７】配信サーバのフローである。（実施例１、２共通）
【図８】識別子とコンテンツに注目した構成図である。（実施例１、２共通）
【手続補正２２】
【補正対象書類名】明細書
【補正対象項目名】０１０９
【補正方法】変更
【補正の内容】
【０１０９】
１０１    出版物
１０２    書籍
１０３    ブックカバー又はブック帯
１０４    朗読コンテンツ用識別子の周辺の段違い部
１０５    朗読コンテンツ用識別子
１０６    連携コンテンツ用識別子の周辺の段違い部
１０７    連携コンテンツ用識別子
１０８    声優の挿絵
１０９    出版物の所有者
１１０    朗読データアドレス
１１１    朗読コンテンツ再生手段
１１２    連携コンテンツ再生手段
１１３    連携コンテンツ
１１４    連携データ
１１５    朗読データ
１１６    朗読コンテンツ
１１７    情報端末
１１８    アクセス手段
１１９    携帯電話
１２０    読取り手段
１２１    識別情報
１２２    ネットワーク網
１２３    配信サーバ
１２４    配信手段
１２５    配信サーバの記憶手段
１２６    朗読コンテンツ制作オフィス
１２７    声優
１２８    連携コンテンツ制作オフィス
１２９    朗読データアドレス更新手段
１３０    朗読データアドレス入力手段
１３１    翻訳朗読コンテンツ用識別子の周辺の段違い部
１３２    翻訳朗読コンテンツ用識別子
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
識別子付き書籍と、この書籍の朗読音声データを含む朗読コンテンツと朗読コンテンツの声優又は協賛企業に関する連携コンテンツとを配信する配信サーバと、この配信サーバとネットワーク網で繋がり配信された前記朗読コンテンツ又は前記連携コンテンツを再生する情報端末とからなる朗読コンテンツ配信システムにおいて、
前記書籍はブックカバー又はブック帯を有し、前記ブックカバー又は前記ブック帯の所定位置には２次元バーコード又はＩＣタグからなる第１と第２の識別子を配置し、更に、第１の識別子の近傍には朗読を表す表示を配置し、第２の識別子の近傍には声優又は協賛企業を表す表示を配置し、
前記配信サーバは前記情報端末との通信を行う配信手段と記憶手段とを有し、
前記記憶手段は、前記朗読データアドレスに１対１対応で構成され第１の識別子から算出された識別情報と前記朗読データアドレスとで特定される前記朗読コンテンツと、前記朗読データアドレスに多対１対応で構成され第２の識別子から算出された識別情報と前記朗読データアドレスとで特定される前記連携コンテンツとを記憶するとともに、入力された前記識別情報と前記朗読データアドレスとに基づいて前記朗読コンテンツ又は前記連携コンテンツを特定し出力し、
前記情報端末は、朗読データアドレスを入力する朗読データアドレス入力手段と、第１、第２の識別子から識別情報を読取る読取り手段と、前記識別情報と前記朗読データアドレスを前記配信サーバへ送信し前記配信サーバから前記朗読コンテンツ又は前記連携コンテンツを受信するアクセス手段と、前記朗読コンテンツ又は且つ前記連携コンテンツの再生を行う再生手段と、朗読コンテンツの再生の終了毎に朗読データアドレスをインクリメントするインクリメント手段と、未記憶の朗読コンテンツを検出する未記憶検出手段とを有し、
前記情報端末の前記朗読データアドレス入力手段による朗読データアドレスの入力と前記読取り手段による第１の識別子からの識別情報の読取りに応じて、前記再生手段は現在の朗読データアドレスの値で特定される朗読コンテンツを再生し、前記インクリメント手段は朗読コンテンツの再生終了毎に朗読データアドレスをインクリメントし、前記アクセス手段は前記未記憶検出手段が朗読コンテンツの未記憶を検出する毎に識別情報と前記朗読データアドレスとを前記配信サーバに送信し前記配信サーバから未記憶の朗読コンテンツを受信し、
前記情報端末の前記読取り手段による第２の識別子からの識別情報の読取りに応じて、前記アクセス手段が識別情報と朗読データアドレスとを前記配信サーバに送信し前記配信サーバから識別情報と現在の朗読データアドレスの値とに対応した連携コンテンツを受信し、再生手段は受信した連携コンテンツを再生することを特徴とする朗読コンテンツ配信システム。
【請求項２】
第１の識別子は長方形の下辺を凸状の角又は略半円を形成するように下方に突出させ長方形の上辺を凹状の角を形成するように下方に凹ませた開いた書籍又は書籍と人を模した図形でブックカバー又はブック帯に対して凸状又は凹状の段違い部に配置され、第２の識別子は第１の識別子とは異なる形状の凸状又は凹状の段違い部に配置されていることを特徴とする特許請求項１の朗読コンテンツ配信システム。
【請求項３】
第２の識別子は略円形と略長方形を上下に重ねて接続した人物を模した図形、又は、長方形の上部を斜めにカットした会社の建物を模した図形でブックカバー又はブック帯に対して凸状又は凹状の段違い部に配置されていることを特徴とする特許請求項２の朗読コンテンツ配信システム。
【請求項４】
識別子付きで１枚の印刷物からなるパンフレットと、このパンフレットの朗読音声データを含む朗読コンテンツとパンフレットの画像又は協賛企業に関する連携コンテンツとを配信する配信サーバと、この配信サーバとネットワーク網で繋がり配信された前記朗読コンテンツ又は前記連携コンテンツを再生する情報端末とからなる朗読コンテンツ配信システムにおいて、
前記パンフレットの所定位置には２次元バーコード又はＩＣタグからなる第１と第２の識別子を配置し、更に、第１の識別子の近傍には朗読を表す表示を配置し、第２の識別子の近傍には記事又は協賛企業を表す表示を配置し、第１の識別子は長方形の下辺を凸状の角又は略半円を形成するように下方に突出させ長方形の上辺を凹状の角を形成するように下方に凹ませた開いた書籍又は書籍と人を模した図形でパンフレットに対して凸状又は凹状の段違い部に配置され、第２の識別子は第１の識別子とは異なる図形でパンフレットに対して凸状又は凹状の段違い部に配置され、
前記配信サーバは、前記情報端末との通信を行う配信手段と記憶手段とを有し、
前記記憶手段は、前記朗読データアドレスに１対１対応で構成され第１の識別子から算出された識別情報と前記朗読データアドレスとで特定される前記朗読コンテンツと、前記朗読データアドレスに多対１対応で構成され第２の識別子から算出された識別情報と前記朗読データアドレスとで特定される前記連携コンテンツとを記憶するとともに、入力された前記識別情報と前記朗読データアドレスとに基づいて前記朗読コンテンツ又は前記連携コンテンツを特定し出力し、
前記情報端末は、朗読データアドレスを入力する朗読データアドレス入力手段と、第１、第２の識別子から識別情報を読取る読取り手段と、前記識別情報と前記朗読データアドレスを前記配信サーバへ送信し前記配信サーバから前記朗読コンテンツ又は前記連携コンテンツを受信するアクセス手段と、前記朗読コンテンツと前記連携コンテンツの再生を行う再生手段と、朗読コンテンツの再生の終了毎に朗読データアドレスをインクリメントするインクリメント手段と、未記憶の朗読コンテンツを検出する未記憶検出手段とを有し、
前記情報端末の前記朗読データアドレス入力手段による朗読データアドレスの入力と前記読取り手段による第１の識別子からの識別情報の読取りに応じて、前記再生手段は受信した朗読コンテンツの中で送信した朗読データアドレスの朗読コンテンツを再生し、前記インクリメント手段は朗読コンテンツの再生終了毎に朗読データアドレスをインクリメントし、前記未記憶検出手段が朗読データアドレスで特定される朗読コンテンツの未記憶を検出すると、前記アクセス手段は未記憶の朗読コンテンツに対応する識別情報と前記朗読データアドレスとを前記配信サーバに送信し前記配信サーバから未記憶の朗読コンテンツを受信し、
前記情報端末の前記読取り手段による第２の識別子からの識別情報の読取りに応じて、前記アクセス手段が識別情報と朗読データアドレスとを前記配信サーバに送信し前記配信サーバから識別情報と現在の朗読データアドレスの値とに対応した連携コンテンツを受信し、再生手段は受信した連携コンテンツを再生することを特徴とする朗読コンテンツ配信システム。
【請求項５】
第２の識別子は長方形の上辺の片側を上方に突出させ先端を略円形とした指を模した図形、又は、長方形の上部を斜めにカットした会社の建物を模した図形でパンフレットに対して凸状又は凹状の段違い部に配置されていることを特徴とする特許請求項４の朗読コンテンツ配信システム。
【手続補正２】
【補正対象書類名】明細書
【補正対象項目名】００９７
【補正方法】変更
【補正の内容】
【００９７】
Ｓ２０３で情報端末のアプリケーションｄ＿ａｐｌｉによる識別情報と朗読データアドレスｒ＿ａｄｒとを受信した時は、Ｓ２０４で識別情報と朗読データアドレスｒ＿ａｄｒをもとにデータベースを参照して、認証が必要かを調べる。Ｓ２０５で認証が必要なコンテンツの時は、Ｓ２０６で認証要求を送信する。Ｓ２０５で認証が不要なコンテンツの時は、Ｓ２０９に移る。出版物やコンテンツの権利保有者と認証の必要性を相談し、認証が必要か不要かを識別情報と朗読データアドレスｒ＿ａｄｒに対応させてデータベースに記憶させる。
【手続補正３】
【補正対象書類名】図面
【補正対象項目名】図１
【補正方法】変更
【補正の内容】
【図１】
2007264873.tif 000012
【手続補正４】
【補正対象書類名】図面
【補正対象項目名】図７
【補正方法】変更
【補正の内容】
【図７】
2007264873.tif 000013